(57)【要約】【課題】各種の構成部材を限られた設置スペースに効率的に配設することでコンパクト化が図れ、更には、効率的に紙幣の回収作業が行なえる紙幣処理装置を提供する。【解決手段】紙幣処理装置は、紙幣挿入口３Ａから挿入された紙幣を、挿入方向に沿って搬送すると共に、下流側に位置する紙幣押し込み領域１０に向けて排出する紙幣搬送機構７と、筐体１ａの一方サイドに設けられ、紙幣押し込み領域に排出された紙幣を他方サイドに向けて押圧する押圧プレート３２と、押圧プレート３２によって押圧される紙幣を積層収容すると共に、挿入方向に沿って往復動可能に設けられた載置トレイ６０と、載置トレイを往復動する載置トレイ駆動機構と、載置トレイの先端領域を突出可能に開閉駆動されるシャッタ９１を備えたシャッタ機構とを有する。載置トレイ６０は、先端部がシャッタを介して筐体１ａから突出した際、積層収容される紙幣の前端側を露出するように保持する。【選択図】    図２
2006346283.tif 000002
【特許請求の範囲】
【請求項１】
筐体と、
前記筐体の前面に設けられ、紙幣が挿入可能な紙幣挿入口と、
前記紙幣挿入口から挿入された紙幣を、挿入方向に沿って搬送すると共に、下流側に位置する紙幣押し込み領域に向けて排出する紙幣搬送機構と、
前記筐体の一方サイドに設けられ、前記紙幣押し込み領域に排出された紙幣を他方サイドに向けて押圧する紙幣押圧機構と、
前記紙幣押圧機構によって押圧される紙幣を積層収容すると共に、前記挿入方向に沿って往復動可能に設けられた載置トレイと、
前記載置トレイを往復動する載置トレイ駆動機構と、
前記筐体に設けられ、前記載置トレイの先端領域を突出可能に開閉駆動されると共に、ロック機構によって開放がロックされるシャッタを備えたシャッタ機構と、
を有し、
前記載置トレイは、先端部が前記シャッタを介して筐体から突出した際、積層収容される紙幣の前端側を露出するように保持することを特徴とする紙幣処理装置。
【請求項２】
前記載置トレイは、紙幣の長手方向両縁部が係合可能な係止爪と、紙幣が積層される紙幣載置板と、前記紙幣載置板に載置された紙幣を前記係止爪に向けて押圧する付勢バネとを有することを特徴とする請求項１に記載の紙幣処理装置。
【請求項３】
前記載置トレイは、前記紙幣載置板の長さが、挿入される紙幣の長さより短く形成されていることを特徴とする請求項２に記載の紙幣処理装置。
【請求項４】
前記載置トレイ駆動機構は、載置トレイの移動量を検知可能な移動量検知手段を有することを特徴とする請求項１から３のいずれか１項に記載の紙幣処理装置。
【請求項５】
前記載置トレイ駆動機構は、前記載置トレイが前記筐体内の収容ポジションに位置しているか否かを検知する位置検知手段を有することを特徴とする請求項１から４のいずれか１項に記載の紙幣処理装置。
【請求項６】
請求項１から５のいずれか１項に記載の紙幣処理装置を制御可能な紙幣処理装置の制御システムであり、
前記紙幣処理装置に対して、前記ロック機構を解除させる解除信号を送信する信号送信手段と、
前記解除信号を受信した際、前記シャッタ機構を駆動してシャッタを開放駆動すると共に、前記載置トレイを前記筐体から突出するように前記載置トレイ駆動機構を駆動制御する制御手段と、
を有することを特徴とする紙幣処理装置の制御システム。
【請求項７】
前記載置トレイに紙幣の存在を検知する紙幣検知センサを設け、
前記制御手段は、前記紙幣検知センサが紙幣の存在を検知せず、かつ載置トレイが筐体から所定時間突出していた場合、前記載置トレイを筐体内に戻すように前記載置トレイ駆動機構を制御することを特徴とする請求項６に記載の紙幣処理装置の制御システム。
【請求項８】
前記載置トレイに紙幣の存在を検知する紙幣検知センサを設け、
前記制御手段は、前記紙幣検知センサが紙幣の存在を検知しなかった場合、前記ロック機構を駆動してシャッタの開放をロックすることを特徴とする請求項６又は７に記載の紙幣処理装置の制御システム。
【発明の詳細な説明】
【技術分野】
【０００１】
本発明は、例えば、パチンコ機やスロットマシン等（以下、「遊技機」と総称する）が設置されている遊技場に設置され、遊技機間に配設可能な紙幣処理装置、及び、そのような紙幣処理装置を制御する紙幣処理装置の制御システムに関する。
【背景技術】
【０００２】
一般的に、パチンコホールのような遊技場では、遊技者の便宜を図るため、遊技機が多数設置された領域（「島」とも称する）において、隣接する遊技機間に、パチンコ球やコイン（遊技媒体）を貸し出すための縦長状の遊技媒体貸出装置（サンド装置とも称する）が設置されている。この遊技媒体貸出装置は、各遊技機間に固定設置されるフレームに装着されており、対応する挿入口を通じて紙幣、硬貨、プリペイドカード等が挿入されることにより、実際に遊技媒体を貸し出したり、遊技媒体の貸し出しを促す信号を遊技機に送信するようになっている。例えば、紙幣が処理できるように構成された紙幣処理装置であれば、挿入された紙幣を識別する紙幣識別部と、紙幣識別部で有効と判断した紙幣を収容する紙幣収容部（金庫）とを備えている。
【０００３】
ところで、遊技場は、スペースを有効活用するため、多数の遊技機を効率的に設置することが望まれており、これに伴って、上記したような台間に設置される紙幣処理装置についても、極力、小型化することが要求されている。すなわち、隣接する遊技機の間隔を狭くし、この間隔に効率的に紙幣処理装置を設置することが望まれている。
【０００４】
そこで、特許文献１等に開示されているように、紙幣識別部と紙幣収容部を上下方向に隣接設置した紙幣処理装置が提案されている。この紙幣処理装置では、紙幣を縦向きに挿入し、有効と判別された紙幣については、そのまま下方側に移送して、紙幣収容部に積層収容させるようになっている。
【特許文献１】特開２００４−１９５０３５
【発明の開示】
【発明が解決しようとする課題】
【０００５】
上記した紙幣処理装置では、紙幣識別部と紙幣収容部が上下方向に並設されていることから、上下方向のスペースが大きくなってしまい、その他の装置（硬貨やプリペイドカードを処理する装置）を設置するスペースに制約が生じてしまう。
【０００６】
ところで、上記した遊技媒体貸出装置は、省スペース化を考慮して、幅が約４０ｍｍ程度に設置されているが、紙幣の収容スペースとして考慮した場合、それ程の幅は必要ではない。例えば、従業員の紙幣の回収サイクル（１日の営業終了毎）を考慮しても、紙幣の収容厚さは、それ程必要とはされず、結果として、紙幣処理装置が占める容積に無駄が生じている。通常、上記した紙幣の回収サイクルでは、効率的に紙幣を圧縮できれば、１０ｍｍ程度（約１００枚）で足りることから、紙幣を収容する部分については、紙幣を受け入れる部分の側方に設置することが可能となる。すなわち、紙幣が挿入される部分の紙幣搬送機構、駆動モータなど、各種の駆動源、紙幣を収容する紙幣収容部、及び紙幣収容部に対する紙幣の圧縮方法等の構成や配置態様を工夫することで、紙幣識別部と紙幣収容部を水平方向に隣接して設置することが可能となり、紙幣処理装置として省スペース化を図ることができる。
【０００７】
また、通常、紙幣を収容する紙幣収容部は、上記した特許文献１に開示されているように、手前側に引き出せるようになっており、引き出した紙幣収容部の側面側から積層状態の紙幣束を摘んで側方に向けて拾い上げる構成となっている。このため、多数の紙幣処理装置から連続的に紙幣を抜き取る場合など、紙幣の回収作業に手間や時間が掛かってしまう。特に、従来の紙幣収容部は、紙幣収容部に鍵を差し込んで、それ自体を手動で引き抜いて紙幣を回収し、その後、紙幣収容部を押し戻すように構成されていることから、紙幣の回収作業に手間や時間が掛かっているのが現状である。
【０００８】
本発明は、上記した事情に着目してなされたものであり、各種の構成部材を限られた設置スペースに効率的に配設することでコンパクト化が図れ、更には、効率的に紙幣の回収作業が行なえる紙幣処理装置を提供することを目的とする。  
また、本発明は、紙幣の回収作業時において、上記したように構成される紙幣処理装置を効率的に制御可能にする紙幣処理装置の制御システムを提供することを目的とする。
【課題を解決するための手段】
【０００９】
上記した課題を解決するために、請求項１に記載された紙幣処理装置は、筐体と、前記筐体の前面に設けられ、紙幣が挿入可能な紙幣挿入口と、前記紙幣挿入口から挿入された紙幣を、挿入方向に沿って搬送すると共に、下流側に位置する紙幣押し込み領域に向けて排出する紙幣搬送機構と、前記筐体の一方サイドに設けられ、前記紙幣押し込み領域に排出された紙幣を他方サイドに向けて押圧する紙幣押圧機構と、前記紙幣押圧機構によって押圧される紙幣を積層収容すると共に、前記挿入方向に沿って往復動可能に設けられた載置トレイと、前記載置トレイを往復動する載置トレイ駆動機構と、前記筐体に設けられ、前記載置トレイの先端領域を突出可能に開閉駆動されると共に、ロック機構によって開放がロックされるシャッタを備えたシャッタ機構とを有し、前記載置トレイは、先端部が前記シャッタを介して筐体から突出した際、積層収容される紙幣の前端側を露出するように保持することを特徴とする。
【００１０】
上記した構成の紙幣処理装置によれば、紙幣挿入口に挿入された紙幣は、紙幣搬送機構によってそのまま搬送され、下流側に位置する紙幣押し込み領域に向けて排出される。紙幣押し込み領域には、紙幣を挿入方向に向けて搬送するための搬送機構（搬送ローラ等）が設置されないことから、筐体の幅方向にスペースを確保することができ、この領域に、紙幣押圧機構と紙幣を積層収容する載置トレイとを幅方向に効率的に設置することが可能となる。
【００１１】
そして、紙幣押し込み領域に順次排出された紙幣は、一方サイド側に設けられた紙幣押圧機構によって、順次、他方サイド側に設けられた載置トレイに積層収容される。この載置トレイは、載置トレイ駆動機構によって往復駆動されるようになっており、紙幣の回収作業時においては、ロック機構が解除されて開放状態にあるシャッタを介して先端部が突出する。このとき、載置トレイに積層収容されている紙幣は、前端側が露出するように保持されていることから、作業者は、露出している紙幣束を摘んでそのまま引き出すことができ、紙幣の回収作業を効率的に行なえるようになる。
【００１２】
また、請求項２に係る発明においては、前記載置トレイは、紙幣の長手方向両縁部が係合可能な係止爪と、紙幣が積層される紙幣載置板と、前記紙幣載置板に載置された紙幣を前記係止爪に向けて押圧する付勢バネとを有することを特徴とする。
【００１３】
上記した構成の載置トレイによれば、紙幣押圧機構によって押圧される紙幣は、係止爪を乗り越えることで紙幣載置板に順次、積層収容されて行く。すなわち、載置トレイに、単に、紙幣の両縁部が当て付く係止爪を設置することによって、紙幣押し込み領域に排出された紙幣との間で容易に仕分けが行なえることから、載置トレイと紙幣押圧機構を幅方向に隣接して配設することが可能となり、両者の設置スペースを効率的に確保することができる。すなわち、充分な紙幣の積層空間を確保することが可能となる。
【００１４】
また、請求項３に係る発明においては、前記載置トレイは、前記紙幣載置板の長さが、挿入される紙幣の長さより短く形成されていることを特徴とする。
【００１５】
上記した構成によれば、紙幣載置板の長さが、紙幣の長さよりも短いため、筐体から載置トレイが突出すると、積層収容された状態の紙幣束は、先端部分で容易に摘むことが可能となり、紙幣の回収作業が行ない易くなる。
【００１６】
また、請求項４に係る発明においては、前記載置トレイ駆動機構は、載置トレイの移動量を検知可能な移動量検知手段を有することを特徴とする。
【００１７】
上記した構成によれば、載置トレイの移動量が検知できることから、載置トレイの筐体に対する適正な突出量を制御することが可能になると共に、載置トレイを所定の位置で停止制御することができ、載置トレイ駆動機構の駆動源であるモータに負荷をかけることがなくなる。
【００１８】
また、請求項５に係る発明においては、前記載置トレイ駆動機構は、前記載置トレイが前記筐体内の収容ポジションに位置しているか否かを検知する位置検知手段を有することを特徴とする。
【００１９】
上記した構成によれば、紙幣回収作業時において、載置トレイから紙幣を回収した後に、自動的に載置トレイを収容ポジションに戻すことが可能となる。例えば、紙幣回収時において、位置検知手段が載置トレイを検知しておらず、また、載置トレイに紙幣が存在しないことを条件として、載置トレイを収容ポジションに戻すように載置トレイ駆動機構を駆動することで、紙幣の回収作業が終了した後、自動的に載置トレイを収容ポジションに戻すことが可能となる。
【００２０】
また、請求項６に係る発明においては、上記した請求項１から５のいずれか１項に記載の紙幣処理装置を制御可能な紙幣処理装置の制御システムであり、前記紙幣処理装置に対して、前記ロック機構を解除させる解除信号を送信する信号送信手段と、前記解除信号を受信した際、前記シャッタ機構を駆動してシャッタを開放駆動すると共に、前記載置トレイを前記筐体から突出するように前記載置トレイ駆動機構を駆動制御する制御手段とを有することを特徴とする。
【００２１】
上記した構成によれば、紙幣回収時において、解除信号を紙幣処理装置に送信すると、シャッタのロック機構が解除され、自動的に載置トレイが筐体から突出する。このため、例えば、解除信号の送信を、遊技機が多数設置された島設備などを管理する管理サーバで行なうようにすることで、島全体の紙幣処理装置を、一括して紙幣回収状態（各紙幣処理装置の載置トレイを筐体から突出させる）にすることが可能となり、島全体の紙幣の回収作業が容易に行なえるようになる。なお、解除信号の送信は、上記したように多数の紙幣処理装置を管理する管理サーバで行なっても良いし、作業者が所有する携帯端末を介して行なっても良い。また、上記した信号送信手段又は制御手段は、紙幣を回収した後の載置トレイを収容位置に戻すように載置トレイを駆動したり、シャッタをロック状態に駆動する制御を行なっても良い。
【００２２】
また、請求項７に係る発明においては、前記載置トレイに紙幣の存在を検知する紙幣検知センサを設け、前記制御手段は、前記紙幣検知センサが紙幣の存在を検知せず、かつ載置トレイが筐体から所定時間突出していた場合、前記載置トレイを筐体内に戻すように前記載置トレイ駆動機構を制御することを特徴とする。
【００２３】
このような制御システムによれば、回収作業を終えた後、載置トレイを手動操作で元の位置に戻さなくても、自動的に載置トレイが筐体の内部に戻るため、作業者は、単に紙幣束を抜き取るだけで良くなり、作業効率の向上が図れるようになる。
【００２４】
また、請求項８に係る発明においては、前記載置トレイに紙幣の存在を検知する紙幣検知センサを設け、前記制御手段は、前記紙幣検知センサが紙幣の存在を検知しなかった場合、前記ロック機構を駆動してシャッタの開放をロックすることを特徴とする。
【００２５】
このような制御システムによれば、ロック機構を解除した際に、載置トレイに紙幣が無ければ、自動的にシャッタがロックされることから、ロックのし忘れを防止することができる。
【発明の効果】
【００２６】
本発明によれば、各種の構成部材を限られた設置スペースに効率的に配設することでコンパクト化が図れ、更には、効率的に紙幣の回収作業が行なえる紙幣処理装置が得られるようになる。また、紙幣の回収作業時において、上記したような紙幣処理装置を効率的に制御可能にする紙幣処理装置の制御システムが得られるようになる。
【発明を実施するための最良の形態】
【００２７】
以下、図面を参照しながら、本発明の一実施形態について説明する。
【００２８】
図１から図３は、本実施形態に係る紙幣処理装置の構成を示す図であり、図１は、全体構成を示す斜視図、図２は、図１に示す蓋体を開放した状態を示す図、図３は、その内部構成を示す平面図である。
【００２９】
紙幣処理装置１は、例えば、パチンコ機等（図示せず）の遊技機間に設置される遊技媒体貸出装置に設置可能に構成されている。この場合、遊技媒体貸出装置には、紙幣処理装置１の上側又は下側に他の装置（例えば、硬貨識別装置、記録媒体処理装置、電源装置など）が設置されているが、紙幣処理装置１は、これらの他の装置と一体化されていたり、別個に構成されていても良い。或いは、遊技機間以外の他の空間に紙幣処理装置１が単独もしくは前記他の装置と共に設置されていても良い。そして、このような紙幣処理装置１に紙幣が挿入され、挿入された紙幣の有効性が判断されると、その紙幣価値に応じた遊技媒体の貸出処理、記録媒体への書き込み処理等が行なわれる。
【００３０】
紙幣処理装置１は、直方体状に形成された筐体１ａを備えており、この筐体１ａが図示されていない遊技媒体貸出装置の係止部に装着される。筐体１ａの前面（露出側になる面）１ｂには、紙幣処理領域３が形成されている。この紙幣処理領域３は、スリット状に開口して紙幣が投入される紙幣挿入口３Ａと、及び紙幣挿入口３Ａに隣接するように形成され、紙幣を積層収容した載置トレイ（紙幣収容部）を排出可能にする開閉可能なシャッタ９１とを備えている。この場合、紙幣Ｐは、紙幣の短い辺を縦方向にした状態（起立状態）で矢印Ｄ１方向に沿って紙幣挿入口３Ａを介して内部に挿入される。
【００３１】
筐体１ａ内には、挿入される紙幣の有効性を識別する紙幣識別部５と、挿入される紙幣を搬送する紙幣搬送機構７が設けられている。前記紙幣識別部５は、紙幣挿入口３Ａの挿入方向の近傍位置に設置されており、紙幣搬送機構７は、紙幣識別部５から挿入方向Ｄ１に沿った領域に亘って設置されている。この場合、紙幣搬送機構７は、挿入される紙幣を挟持しながら搬送する機能を備えており、紙幣の長手方向の長さよりも短い領域、好ましくは、紙幣挿入口３Ａの挿入方向の近傍位置において、紙幣の長さの半分以下の範囲に収まる大きさに構成されている。
【００３２】
なお、紙幣搬送機構７の下流側には、紙幣搬送機構を構成する下流側のローラ対によって排出される紙幣をそのまま摺動させる紙幣押し込み領域１０が設けられている。この紙幣押し込み領域１０は、下流側のローラ対から排出された紙幣を、何の規制も無く、排出方向と直交する方向である矢印Ｄ２方向に向けて、そのままの状態で移送できるように、紙幣の大きさと略同一の大きさを備えている。このように紙幣押し込み領域１０は、紙幣搬送機構７の下流側に位置しており、この紙幣押し込み領域１０を挟むようにして、筐体の一方サイドには紙幣押圧機構３０が、他方サイドには載置トレイ（紙幣収容部）６０が設けられている。すなわち、紙幣搬送機構７の搬送駆動によって押し込み領域１０に排出された紙幣は、後述するように、紙幣押圧機構３０の押圧プレートによって、矢印Ｄ２方向に向けてそのまま押圧され、載置トレイ６０に、順次、積層収容される。
【００３３】
前記紙幣搬送機構７は、紙幣挿入方向Ｄ１に沿って延出し、所定間隔おいて設置される一対の搬送ベルト１７ａ，１７ｂを備えている。各搬送ベルト１７ａ，１７ｂは、その一端が紙幣挿入口３Ａ側において内部フレーム１ｄに回転可能に支持される支軸１８に取り付けられたテンションローラ１８ａ，１８ｂに巻回されており、他端が、紙幣識別部５の奥側において内部フレーム１ｄに回転可能に支持される支軸１９に取り付けられたテンションローラ１９ａ，１９ｂに巻回されている。
【００３４】
前記支軸１９は、内部フレーム１ｄに配設された搬送モータ２０によって回転駆動されるようになっている。すなわち、支軸１９は、搬送モータ２０の駆動軸に固定されるギヤ２０Ｇ、及びこれに噛合し、支軸１９の端部に固定されるギヤ１９Ｇを介して回転駆動されるようになっている。前記搬送モータ２０は、後述する制御手段によって、正転／逆転するように駆動制御され、紙幣搬送機構７の駆動源としての機能を有する。
【００３５】
なお、上記した各テンションローラ１８ａ，１８ｂ及びテンションローラ１９ａ，１９ｂには、夫々ピンチローラ２１ａ，２１ｂ及びピンチローラ２２ａ，２２ｂが当接している。すなわち、紙幣挿入口３Ａに挿入された紙幣Ｐは、搬送ベルト１７ａ，１７ｂとこれに当接するピンチローラ２１ａ，２１ｂ及び２２ａ，２２ｂに挟持された状態で搬送されて行き、最終的にピンチローラ２２ａ，２２ｂと搬送ベルト１７ａ，１７ｂとの間のニップ部を介して、紙幣押し込み領域１０に排出される。
【００３６】
前記紙幣識別部５は、センサ基板５Ａを備えており、このセンサ基板５Ａには、前記支軸１８よりも紙幣挿入口３Ａ側部分に紙幣挿入センサ２５が設けられている。この紙幣挿入センサ２５は、例えば、光学式のセンサによって構成されており、紙幣挿入口３Ａに紙幣が挿入されたことを検知する。そして、紙幣挿入センサ２５によって紙幣の挿入が検知されると、後述する制御手段は、搬送モータ２０を紙幣送り方向に回転駆動（正転駆動）する。
【００３７】
また、前記センサ基板５Ａには、前記支軸１８と支軸１９との間に紙幣識別センサ２６が設けられている。この紙幣識別センサ２６は、上記した紙幣搬送機構７によって紙幣が搬送される際、搬送される紙幣に対して光を照射するよう光学式のセンサによって構成されている。紙幣識別センサ２６は、紙幣挿入方向Ｄ１と直交する方向に沿って複数箇所設置されており、紙幣からの反射光や透過光によって得られる検知データを、後述する制御手段のＣＰＵにおいて、予めＲＯＭに記憶されている正規の紙幣についてのデータとの間で比較を行ない、紙幣の有効性について判断を行なう。
【００３８】
前記紙幣押し込み領域１０に対して、筐体の一方サイドには、紙幣押圧機構３０が設けられている。この紙幣押圧機構３０は、筐体１ａに対して開閉可能な蓋体３１と、蓋体３１に設けられ、蓋体が筐体１ａに対して閉じられた状態で紙幣押し込み領域１０に紙幣が位置した際、その紙幣を矢印Ｄ２方向に向けて押圧する板状の押圧プレート３２と、この押圧プレート３２を駆動するプレート駆動モータとを備えている。
【００３９】
以下、図４から図７を参照して、紙幣押圧機構３０の構成について説明する。なお、これらの図において、図４は、蓋体に対して押圧プレートを開放した状態を示す図、図５は、プレート駆動モータ及びその減速機構の構成を示す図、図６は、蓋体に対する押圧プレートの連結機構の構成を示す図（制御回路基板等は省略してある）、図７（ａ）及び（ｂ）は、押圧プレートの動作を示す図であり、（ａ）は非押圧状態、（ｂ）は押圧状態を示す図である。
【００４０】
前記押圧プレート３２は、紙幣と略同程度の大きさを備えており、押圧プレート３２の一端側の裏面と、蓋体３１の他端側の裏面とを連結するリンク機構３５によって、矢印Ｄ２方向に向けて移動可能となるように蓋体３１に支持されている。リンク機構３５の両端部は、それぞれ蓋体３１及び押圧プレート３２に設けられた支軸３１Ａ，３２Ａを介して回動可能に軸支されており、このようなリンク機構により、押圧プレート３２は、図６及び図７に示すように、蓋体３１に対して、平行を保持したまま、近接／離間するように支持されている。
【００４１】
前記プレート駆動モータ３３は、蓋体３１の裏面に設置されており、プレート駆動モータ３３が回転駆動することで、前記押圧プレート３２は矢印Ｄ２方向に往復駆動される。
【００４２】
また、前記蓋体３１の裏面には、プレート駆動モータ３３の回転駆動を減速して押圧プレート３２側に伝達する減速機構（ギヤトレイン）３７と、減速機構３７の最終ギヤ３７ａによって回動駆動される押し下げアーム３８が回動可能に設けられている。この押し下げアーム３８は、基端部に最終ギヤ３７ａが装着されることで、基端部を中心に回動駆動されるようになっており、その先端部には、係合突起３８ａが装着されている。そして、この係合突起３８ａは、押圧プレート３２の裏面に取着された突部材３２ａに形成された長溝３２ｂに係合しており、押し下げアーム３８が基端部を中心に回動駆動されることで、前記押圧プレート３２は、矢印Ｄ２方向に沿って往復駆動される。なお、この突部材３２ａは、図４に示すように、リンク機構３５に形成された開口３５ａを介して露出しており、リンク機構３５の動作に干渉しないように設置されている。
【００４３】
前記押圧プレート３２は、押圧方向に向けて所定の長さ垂下するような形状となっており、その長手方向両サイドにはフランジ（張り）３２ｃが形成されている。これにより、押圧プレート３２は、押し下げアーム３８によって押し下げ方向に駆動された際、後述する載置トレイ６０の開口部に入り込むと共に、ある程度開口部に入り込んだ際に、この両フランジ３２ｃが、後述する載置トレイ６０の係止爪６１ｃに当接し、それ以上入り込めないようにしている。すなわち、このようなフランジ３２ｃを設けておくことで、押圧プレート３２は、リンク機構３５によって片側が支持されているにも拘らず、紙幣に対して長手方向に対して均一な押圧力を作用させることが可能となる。
【００４４】
また、本実施形態では、紙幣処理装置１における各種の駆動機構の駆動を制御する制御基板（制御手段を構成する）４０を前記蓋体３１の裏面に装着している。この制御回路基板４０には、前記押し下げアーム３８の回動量を検知する光学式のセンサ（回動検知センサ）４２が接続されており、押し下げアーム３８の回動量、すなわち、押圧プレート３２の押し下げ量が所定の状態となったときに、プレート駆動モータ３３の駆動を停止制御するようになっている。このため、プレート駆動モータ３３に、不必要な負荷が作用することが防止される。
【００４５】
前記紙幣押し込み領域１０に対して、筐体の他方サイドには、図２及び図３に示すように、載置トレイ６０が設けられている。この載置トレイ６０は、前記押圧プレート３２によって押圧される紙幣を、順次、積層収容するよう構成されている。以下、図８及び図９を参照して載置トレイの構成について説明する。
【００４６】
載置トレイ６０は、底壁６１ａ、及び底壁６１ａの両サイドに形成された側壁６１ｂを具備する本体６１を有している。
【００４７】
前記本体６１の両側壁６１ｂ間には、紙幣束を載置する載置プレート６２が設けられており、この載置プレート６２は、本体６１の底壁６１ａとの間に設置される付勢バネ６３によって押圧付勢されている。また、前記両側壁６１ｂの開口側端部には、収容される紙幣の長手方向に沿って延出する一対の係止爪６１ｃが形成されている。この係止爪６１ｃは、図８（ａ）及び図９（ａ）に示すように、前記紙幣搬送機構７を介して、紙幣押し込み領域１０に排出される紙幣と、本体６１内に収容される紙幣束との間を仕分けする機能を有している。すなわち、紙幣押し込み領域１０に排出された紙幣が押圧プレート３２によって押圧されると、紙幣は、図９（ｂ）に示すように、係止爪６１ｃによって中央がたわみながら載置プレート６２上に移送され、かつ係止爪６１ｃを乗り越えると、紙幣は、図８（ｂ）及び図９（ｃ）に示すように、付勢バネ６３の付勢力に抗して載置プレート６２上に載置される。そして、押圧プレート３２が初期位置に戻ると、載置プレート６２上に積層収容された紙幣束は、前記付勢バネ６３の付勢力によって、その両端部が前記一対の係止爪６１ｃに当て付けられる。
【００４８】
これにより、載置プレート６２に積層収容される最上の紙幣と、押圧プレート３２との間には、図９（ａ）に示すように、隙間Ｒが形成されて仕分けが成される。すなわち、紙幣搬送機構７を介して排出される紙幣は、この隙間Ｒ内に送り込まれるようになっており、ここに送り込まれた紙幣は、初期位置にある押圧プレート３２の駆動によって、載置トレイ６０内に順次、積層収容される。
【００４９】
なお、前記の隙間Ｒは、余り広くなりすぎると、紙幣に皺がある場合などにジャムが発生する原因となり、狭くなりすぎると、安定して紙幣が送り込めなくなってしまう。具体的に、両者の間の好ましい範囲の隙間は３〜５ｍｍ程度であり、紙幣押し込み領域１０において、このような隙間が形成されるように、前記紙幣押圧機構３０及び載置トレイ６０を配設しておくことが好ましい。
【００５０】
前記載置トレイ６０の本体６１に積層収容される紙幣は、押圧付勢される載置プレート６２、及び係止爪６１ｃによって保持されるようになっており、このような構成によって、紙幣束の前端側は露出するようになっている。このため、後述するように、載置トレイ６０が駆動されて、その前端側が筐体１ａの前面１ｂから突出すると、載置プレート６２上に積層収容された紙幣束の先端部は、露出した状態になることから、作業者は、容易に紙幣束を手前に引き抜いて回収作業を行なうことが可能となる。
【００５１】
この場合、本体６１（載置プレート６２）の長手方向の長さ（紙幣載置面の長さ）は、図８（ｂ）に示すように、挿入される紙幣の長さよりも短く形成されていることが好ましい。このように載置プレートの６２の長さが短くなることで、そこに積層収容されている紙幣束は、上面の先端側及び下面の先端側が露出した状態になることから、作業者は、紙幣束を容易に摘んで引き抜くことが可能となる。また、このように構成することで、作業者は、ＳＵＳ等、金属で形成される載置プレート６２に指を接触させることが無くなり、回収作業時の安全性の向上が図れる。或いは、図８に示すように、載置プレート６２の先端縁の中央に、凹部６２ａを形成しておいても良く、このような構成においても、紙幣束を掴み易くなり、上記したような作用効果が得られるようになる。
【００５２】
なお、上記した本体６１の両側壁６１ｂの先端側の筐体サイド側には、所定の範囲に亘って、紙幣挿入方向に延出する切欠部６１ｄが形成されている。このような切欠部６１ｄを形成しておくことにより、シャッタ機構によってシャッタが開放され、かつ載置トレイ６０が突出方向に駆動された際、開放状態にあるシャッタと本体６１との干渉を無くすことができ、効果的にスペースの効率化を図ることができる。
【００５３】
また、上記した載置トレイ６０には、載置プレート６２上に紙幣の存在を検知するための紙幣検知センサ１２８（図１４のブロック図参照）を設けておいても良い。
【００５４】
次に、図３及び図１０を参照しながら、上記した載置トレイを駆動する載置トレイ駆動機構について説明する。
【００５５】
載置トレイ駆動機構７０は、筐体１ａの内部フレーム１ｄに固定されるトレイ駆動モータ７１と、このトレイ駆動モータ７１によって回転駆動される駆動シャフト（ウォームシャフト）７２とを備えている。駆動シャフト７２は、紙幣挿入方向に延在するようにして内部フレームに回転可能に支持されており、その外周面には、雄ネジ７２ａが形成されている。また、駆動シャフト７２の一端側は、ギヤトレイン７３を介してトレイ駆動モータ７１の出力軸に連結されている。
【００５６】
前記載置トレイ６０の本体６１の後端部には、連結片６６が形成されており、この部分に前記駆動シャフト７２を囲繞するように配設された摺動部材７５が連結されている。この摺動部材７５は、前記駆動シャフト７２の雄ネジ部７２ａと螺合する雌ネジ部（図示せず）が形成されており、駆動シャフト７２が回転駆動されることにより、摺動部材７５、すなわち、載置トレイ６０は、軸方向に沿って往復駆動可能となっている。この場合、摺動部材７５は、前記駆動シャフト７２と平行に配設されたガイド棒７６に挿通されており、摺動部材７５が往復動する際に、回り止めされている。
【００５７】
そして、上記した載置トレイ駆動機構７０には、載置トレイ６０の移動量を検知することが可能な移動量検知手段８０が設けられている。この移動量検出手段８０は、例えば、トレイ駆動モータ７１の出力軸を反対側に突出させ、この部分に装着される円板状の回転体８１と、この回転体８１と隙間を介在させて挟持するように配設される回転量検知センサ（光センサ）８２とによって構成することが可能である。前記回転体８１には、エンコーダ８１ａ（周方向に沿って所定間隔で形成される開口）が形成されており、トレイ駆動モータ７１の回転と共にエンコーダ８１ａが回転すると、回転量検知センサ８２は、回転量に応じたパルスを得ることができ、そのパルス数に応じて載置トレイ６０の移動量を把握することが可能となる。
【００５８】
このような移動量検知手段８０を設けておくことで、載置トレイ６０の突出方向の停止位置を正確に制御することが可能となり、トレイ駆動モータ７０に対する負荷を軽減することが可能となる。
【００５９】
また、上記した載置トレイ駆動機構７０には、更に、載置トレイ６０の収納位置（紙幣を収容できる位置；収容ポジション）を検知することが可能な位置検知手段８５が設けられている。このような位置検知手段８５は、例えば、載置トレイ６０を駆動する摺動部材７５に係止片（図示せず）を設けておき、この係止片が当接／離反することでＯＮ／ＯＦＦするリミットスイッチ８６を内部フレーム１ｄに装着することによって構成することが可能である。
【００６０】
このような位置検知手段８５を設けておくことで、載置トレイ６０の状態（収納位置にあるか、回収位置にあるか）を把握することが可能となり、紙幣回収作業時において、載置トレイ６０を適切に駆動することが可能となる。
【００６１】
上記した載置トレイ６０に積層収容された紙幣は、紙幣処理領域３において、紙幣挿入口３Ａに隣接するように配設されるシャッタ機構９０を開放駆動することで回収可能となっている。以下、図２、図３、及び図１１から図１３を参照してこのシャッタ機構の構成について説明する。
【００６２】
前記シャッタ機構９０は、紙幣処理領域に形成される矩形状の開口を閉塞するシャッタ（遮蔽板）９１と、このシャッタ９１を回動駆動するシャッタ駆動機構９２とを備えている。前記シャッタ９１は、略矩形状の板材として構成されており、筐体の内部フレームに対して、その基端部が支軸９１ａに回動可能に支持されている。前記シャッタ駆動機構９２は、シャッタ駆動モータ９５を備えており、このシャッタ駆動モータ９５は、その駆動軸９５ａに連結される減速機構を構成するギヤトレイン９６、及びギヤトレイン９６に順次連結されるアーム状のリンク部材９７ａ，９７ｂを介して、前記支軸９１ａに連結されている。
【００６３】
具体的には、シャッタ駆動モータ９５が駆動されて駆動軸９５ａが回転駆動されると、その回転駆動力は、ギヤトレイン９６を介して減速される。このギヤトレイン９６の出力ギヤ９６ａには、リンク部材９７ａの支軸が接続されており、シャッタ駆動モータ９５の正転駆動により、リンク部材９７ａは、図１３（ａ）に示す状態から、図１３（ｂ）に示す状態に回動駆動される。このリンク部材９７ａには、基端部が前記支軸９１ａに連結されているリンク部材９７ｂの他端部が連結されており、リンク部材９７ａが図に示すように回動駆動されることで、シャッタ９１は、リンク部材９７ｂを介して、垂直な状態から、筐体内部に向けて、略９０°回動駆動されるようになる。
【００６４】
なお、上記したシャッタ駆動機構９２には、シャッタ９１の回動量を検知することが可能な回動量検知手段１００が設けられている。この回動量検出手段１００は、例えば、上記したギヤトレイン９６の入力ギヤ９６ｂの表面にエンコーダ１０１を形成すると共に、そのエンコーダ１０１の回転量を検知する回転量検知センサ（反射型光センサ）１０２によって構成することが可能である。
【００６５】
このような回動量検知手段１００を設けておくことで、シャッタ９１を回動させて、略９０°となったときの停止位置を正確に制御することが可能となり、シャッタ駆動モータ９５に対する負荷を軽減することが可能となる。
【００６６】
また、上記したようなシャッタ機構９０に関連して、シャッタ９１が閉塞状態にあるとき、その状態をロックするロック機構１１０が設けられている。
【００６７】
このロック機構１１０は、前記開閉駆動されるシャッタ９１の上端縁に、連続的に形成される凹凸１１２と、筐体の内部フレームに幅方向（矢印方向）に移動可能なロック板１１３と、ロック板１１３を幅方向に沿って駆動可能な駆動手段、例えば、ソレノイド１１６によって構成される。前記ロック板１１３には、前記凹凸１１２と対応する凹凸１１４が形成されており、ロック板１１３は、付勢バネ１１７によって、常時、両者の凹凸１１２，１１４が一致しない状態に付勢されている（図１２参照）。
【００６８】
そして、紙幣を回収する際には、上記したソレノイド１１６を駆動することで、ロック板１１３を、付勢バネ１１７の付勢力に抗して両者の凹凸１１２，１１４が一致するように幅方向に駆動する（図１１参照）。これにより、シャッタ９１のロック状態が解除され、シャッタ９１は、上記したシャッタ駆動機構９２を介して、筐体内部に向けて回動し、載置トレイ６０を排出可能な状態にする。
【００６９】
図１４は、上記した紙幣処理装置１の動作を制御する制御手段の構成例を示すブロック図である。
【００７０】
制御手段は、上述したように、蓋体３１の裏面に装着され、上述した各アクチュエータの動作を制御する制御回路基板４０を備えている。この制御回路基板４０は、上述した搬送モータ２０、プレート駆動モータ３３、トレイ駆動モータ７１、シャッタ駆動モータ９５、ソレノイド１１６等、各種の駆動装置の制御動作機能を有するＣＰＵ１３０、上記した各種の駆動装置の作動プログラムや正規の紙幣に関する検知データ等を格納したＲＯＭ１３１、及び制御ＲＡＭ１３２を備えて構成されている。
【００７１】
前記ＣＰＵ１３０には、Ｉ／Ｏポート１３５を介して、上記した各種のモータを駆動するモータ駆動回路１４０〜１４３が接続されており、各駆動モータは、作動プログラムに従って、ＣＰＵ１３０からの制御信号によりその駆動動作（正転、逆転、停止）が制御される。また、ＣＰＵ１３０には、Ｉ／Ｏポート１３５を介して、紙幣挿入センサ２５から紙幣の挿入を検知する信号、紙幣識別センサ２６から紙幣の判別に関する検知信号、回動検知センサ４２から押圧プレート３２の押圧位置に関する検知信号、回動量検知センサ８２から載置トレイ６０の位置に関する検知信号、リミットスイッチ８６から載置トレイ６０が収容位置にあるか否かの検知信号、回転量検知センサ１０２からシャッタ９１の回動位置に関する検知信号が入力されるようになっており、これらの検知信号に基づいて、上述した搬送モータ２０、プレート駆動モータ３３、トレイ駆動モータ７１、シャッタ駆動モータ９５、及びソレノイド１１６の駆動が制御されるようになっている。
【００７２】
また、ＣＰＵ１３０は、図示しない遊技機本体内に配設された遊技処理を実行する制御回路２００に接続されており、遊技機側に対して、挿入された紙幣の価値に応じた遊技価値情報が送信されるようになっている。
【００７３】
さらに、上記した制御回路基板４０のＣＰＵ１３０には、上述したロック機構１１０におけるロック状態を解除する（ソレノイド１１６を駆動する）ための解除信号が入力されるようになっている。この解除信号を送信する信号送信手段３００は、例えば、通信網４００を介して接続され、島設備を管理する管理サーバの機能の一部として構成することが可能となり、これにより、例えば、回収作業時において島設備にある紙幣処理装置の各シャッタを一括して解除駆動することが可能となる。
【００７４】
次に、上述した構成の紙幣処理装置１の動作について説明する。
【００７５】
まず、紙幣を、載置トレイ６０に順次、積層収容する手順について説明する。  
図１から図３に示すように、紙幣Ｐを、短片側を垂直に立てた起立状態で紙幣挿入口３Ａに挿入すると、その挿入は、紙幣挿入センサ２５によって検知される。紙幣挿入センサ２５が紙幣の挿入を検知すると、搬送モータ２０が正転駆動され、紙幣Ｐは、紙幣搬送機構７を構成する搬送ベルト１７ａ，１７ｂ、及びこれに当接するピンチローラ２１ａ，２１ｂ、２２ａ，２２ｂに挟持された状態で筐体内部へ搬送される。
【００７６】
紙幣Ｐが筐体内部へ搬送される際、紙幣識別センサ２６が紙幣を検知し、上記した制御手段において、その有効性が判断される。この場合、紙幣識別センサ２６が紙幣Ｐの有効性を判断できなかった場合、搬送モータ２０は逆転駆動され、搬入途中にある紙幣Ｐは、差し戻し作用を受け、そのまま紙幣挿入口３Ａから排出される。
【００７７】
また、紙幣Ｐの有効性が判断された場合、紙幣Ｐの後端が、搬送ベルト１７ａ，１７ｂとピンチローラ２２ａ，２２ｂとのニップ部を通過するまで、搬送モータ２０は回転駆動される。なお、このとき紙幣Ｐは、図８（ａ）及び図９（ａ）に示すように、搬送ベルト１７ａ，１７ｂとピンチローラ２２ａ，２２ｂの下流側に位置する紙幣押し込み領域１０の押圧プレート３２の押圧面と載置トレイ６０の係止爪６１ｃを含む平面との間の隙間Ｒ内に排出される。上述したように、この隙間は、ジャム等が生じることがないような範囲に設定されている。
【００７８】
紙幣が上記したニップ部を通過して、押し込み領域１０に位置すると、搬送モータ２０の正転駆動は停止されると共に、プレート駆動モータ３３が回転駆動される。これにより、押圧プレート３２は、押し下げアーム３８によって押し下げ方向に駆動され、その下面が紙幣を押圧するようになる（図９（ｂ）参照）。押圧プレート３２によって押圧される紙幣は、やがて載置トレイ６０の一対の係合爪６１ｃを乗り越えて、載置プレート６２上に付勢バネ６３の付勢力に抗して押し付けられる。押圧プレート３２は、リンク機構３５の支持位置によって、紙幣方向に対して押圧力が異なるが、上記した押圧プレート３２の両サイドに形成されたフランジ（張り）３２ｃが係止爪６１ｃに当て付くことにより、紙幣には、長手方向に沿って略均等な押圧力が作用するようになる。すなわち、紙幣全体を均等に押さえ付けることが可能となり、紙幣が折れ曲がっていたり、腰の強い紙幣（積層枚数が多くなることによる）であっても、所定の枚数を確実に収容することが可能となる。なお、押し下げアーム３８の位置は、回動検知センサ４２によって検知されており、適切な位置となったとき（押圧プレート３２のフランジ３２ｃが係止爪６１ｃに当て付いたとき）プレート駆動モータ３３の駆動は停止される。
【００７９】
そして、押圧プレート３２に所定の押圧力をさせてフランジ（張り）３２ｃが係止爪６１ｃに当て付いた後、プレート駆動モータ３３は逆転駆動され、押圧プレート３２は初期位置に戻される。このとき、載置プレート６２は、付勢バネ６３の付勢力によって、係止爪６１ｃ側に付勢され、最上の紙幣は、図９（ｃ）に示すように、係止爪６１ｃに当て付けられて、次に搬入されてくる紙幣との間で仕分けが成される。
【００８０】
そして、上記した動作が繰り返されることにより、載置トレイ６０の載置プレート６２上には、安定して紙幣が積層収容されて行く。
【００８１】
次に、載置トレイ６０に収容された紙幣を回収する手順について説明する。  
紙幣の回収時において、例えば、ホール全体を管理する管理サーバ（信号送信手段３００）側から、島に設置されている各紙幣処理装置１に対して、ロック機構１１０を解除する信号を送信する。この場合、管理サーバは、例えば、島全体の紙幣処理装置のロック機構を解除するように制御しても良いし、島一列の紙幣処理装置のロック機構を解除するように制御しても良い。紙幣処理装置がこの解除信号を受信すると、前記ソレノイド１１６が駆動され、ロック板１１３が付勢バネ１１７の付勢力に抗して幅方向に駆動される。これにより、ロック板１１３の凹凸１１４とシャッタ９１に形成された凹凸１１２が一致し、この状態で、シャッタ駆動モータ９５が回転駆動されることで、シャッタ９１は開放状態となる（図１３（ｂ）参照）。なお、シャッタ駆動モータ９５の回転量は、回転量検知センサ１０２によって検知されており、適切な位置（略９０°倒伏した位置）で駆動停止される。
【００８２】
シャッタ駆動モータ９５が停止駆動されると、トレイ駆動モータ７１が回転駆動され、載置トレイ６０は、筐体の前面から、前端側が排出される。上述したように、載置トレイ６０の本体６１の両側壁６１ｂには、切欠部６１ｃが形成されていることから、倒伏状態にあるシャッタ９１と干渉することなく、その前端側が排出される。なお、トレイ駆動モータ７１の回転量は、回転量検知センサ８２によって検知されており、載置トレイ６０は、適切な位置で停止駆動される。
【００８３】
載置トレイ６０が停止駆動された状態では、載置プレート６２に載置された紙幣束は、図１５に示すように、前端側が露出するように保持されていることから、作業者は、露出している紙幣束を摘んでそのまま引き出すことができ、紙幣の回収作業を効率的に行なえるようになる。特に、本実施形態では、図８に示したように、紙幣を載置する載置プレート６２の長さが、紙幣の長さよりも短く形成されており、しかも載置プレート６２の先端縁の中央に、凹部６２ａが形成されていることから、載置トレイ６０が突出すると、積層収容された状態の紙幣束は、先端部分で容易に摘むことが可能となり、紙幣の回収作業が行ない易くなる。
【００８４】
そして、紙幣の回収作業時において、上記した紙幣検知センサ１２８によって、載置プレート６２上に紙幣が存在しないことを検知した場合（回収作業が終了した場合）、所定時間経過後に、上記した処理手順と逆の処理が実行される。すなわち、トレイ駆動モータ７１を逆転駆動して、載置トレイ６０を収容位置に戻し、リミットスイッチ８６が載置トレイ６０の存在を検知した段階で、上記したシャッタ駆動モータ９５を逆転駆動してシャッタ９１を閉塞状態に回動させ、その後、ソレノイド１１６を消勢することで、ロック板１１３を初期位置に戻してロック機構１１０を作動させる。
【００８５】
このように、載置プレート６２上に紙幣がなくなったことを検知すると、自動的にロック機構１１０を作動させることから、作業者は、紙幣の回収作業のみを行なえば良く、それ以外の操作を行なう必要がなくなって、紙幣の回収作業を効率良く行なうことが可能となる。また、このような構成によれば、紙幣回収作業時において、シャッタ９１のロックのし忘れ（人為的なミス）が確実に防止されるため、セキュリティの向上が図れるようになる。なお、上記した制御手段は、ロック機構を解除する信号を受けた際、載置プレート６２上に紙幣が存在しなければ、ロック機構を解除しないような構成であっても良い。すなわち、紙幣が存在しない状態では、載置トレイ６０を駆動することなく、ロック機構がそのまま維持されるため、ロックのし忘れなどが確実に防止できる。
【００８６】
上記したロック機構１１０の解除は、作業者が所持する専用の携帯端末によって行なうようにしても良い。例えば、各紙幣処理装置に、赤外線受光部５００（図１、図１４参照）を設けておき、この赤外線受光部を介して、携帯端末から所定のロック解除信号を受信した際に、上記したロック機構１１０を解除するようにしても良い。すなわち、このような構成によれば、多数ある紙幣処理装置に対して、個別にロック機構を解除して回収作業を行なうことが可能となる。或いは、このような解除操作は、携帯端末によって管理サーバを介して一括して行なうように構成しても良い。すなわち、携帯端末の操作によって、島全体、島一列毎にロック機構を一括して解除するようにしても良い。
【００８７】
以上のように構成された紙幣処理装置によれば、各種の構成部材を限られた設置スペースに効率的に配設することでコンパクト化が図れ、更には、効率的に紙幣の回収作業が行なえるようになる。
【００８８】
すなわち、上述した紙幣処理装置の構成では、紙幣挿入口３Ａに挿入された紙幣は、紙幣搬送機構７によってそのまま搬送され、その下流側に位置する紙幣押し込み領域１０の隙間Ｒに向けて排出される。この紙幣押し込み領域１０には、紙幣を挿入方向に向けて搬送するための搬送機構（搬送ローラ等）が設置されないことから、筐体１ａの幅方向にスペースを確保することができ、この領域に、紙幣押圧機構３０と紙幣を積層収容する載置トレイ６０とを幅方向に効率的に設置することが可能となる。これにより、紙幣を収容する紙幣収容部を紙幣搬送機構７の上下方向に設置する必要が無くなり、装置全体をコンパクトすることが可能となる。
【００８９】
また、載置トレイ６０と、搬入されてくる紙幣との間の仕分けは、単に載置トレイ６０に形成されている分離用の係止爪６１ｃで行なうようにしたことから、構造を簡略化することができ、筐体内のスペースを効果的に利用することが可能となる。
【００９０】
なお、上記した構成においては、筐体の内部には、各種の駆動機構が配設されることから、各駆動機構、制御回路基板、外部装置とを連結する配線スペースが必要となる。この場合、筐体の両側壁の間に設置されるセンサ基板５Ａ上に信号線や通信線のパターンを形成しておくことにより、配線を省略することが可能となり、内部スペースを効率化して、装置全体を小型化することが可能となる。
【００９１】
そして、紙幣押し込み領域１０から、順次、紙幣押圧機構３０によって紙幣が積層載置された載置トレイ６０は、載置トレイ駆動機構７０によって、筐体１ａの前面から前端側が突出される。このとき、載置トレイ６０に積層収容されている紙幣束は、前端側が露出するように保持されていることから、作業者は、露出している紙幣束を単に手前から引き出すことができるため、紙幣の回収作業を効率的に行なえるようになる。また、この場合、紙幣束は、載置トレイ６０の係止爪６１ｃと載置プレート６２とによって確実に保持された状態にあるため、回収作業時において、紙幣が筐体内部に取り残されるような不都合が生じることはない。
【００９２】
以上、本発明の実施形態について説明したが、本発明は、上記した実施形態に限定されることは無く、適宜変形することが可能である。例えば、上記した筐体内に配設される各種の駆動機構やセンサなどの構成部材は、一例を示したに過ぎず、その具体的な構成については、同様な処理や動作を行なうことができれば、適宜変形することが可能である。また、載置トレイ６０は、筐体から突出したときに、紙幣束の先端が摘み出せるように紙幣束を露出保持するものであれば良く、その構造については、適宜変形することが可能である。さらに、紙幣処理装置のロック機構を解除するシステムについては、外部の管理サーバ等を介することなく、紙幣処理装置毎に行なうようにしても良い。すなわち、紙幣処理装置毎に個別に回収作業を行なうように構成しても良い。
【産業上の利用可能性】
【００９３】
本発明の紙幣処理装置は、各種遊技機の間に設置される以外にも、紙幣を取扱う各種の装置、例えば、各種の自動販売機のような外部装置内に設置することが可能である。
【図面の簡単な説明】
【００９４】
【図１】本発明に係る紙幣処理装置の全体構成を示す斜視図。
【図２】図１に示す蓋体を開放した状態を示す斜視図。
【図３】紙幣処理装置の内部構成を示す平面図。
【図４】紙幣押圧機構の構成を示す図であり、蓋体に対して押圧プレートを開放した状態を示す図。
【図５】プレート駆動モータ及びその減速機構の構成を示す図。
【図６】蓋体に対する押圧プレートの連結機構の構成を示す図。
【図７】（ａ）及び（ｂ）は、押圧プレートの動作を示す図であり、（ａ）は、非押圧状態、（ｂ）は、押圧状態を示す図。
【図８】載置トレイの構成を示す斜視図であり、（ａ）は、紙幣が紙幣押し込み領域に排出されてくる状態を示す図、（ｂ）は、紙幣が積層収容されている状態を示す図。
【図９】載置トレイに対する押圧プレートの紙幣の押し込み状態を説明する図であり、（ａ）は、押し込み前の状態を示す図、（ｂ）は、押し込み中の状態を示す図、（ｃ）は、押し込んだ後の状態を示す図。
【図１０】載置トレイ駆動機構の構成を示す図。
【図１１】シャッタ機構及びロック機構の構成を示す正面図。
【図１２】シャッタ駆動機構の構成を示す斜視図。
【図１３】（ａ）は、シャッタ機構のロック状態を示す側面図、（ｂ）は、シャッタ機構のロックが解除された状態を示す側面図。
【図１４】紙幣処理装置の動作を制御する制御手段の構成例を示すブロック図。
【図１５】載置トレイを排出した状態を示す図。
【符号の説明】
【００９５】
１  紙幣処理装置
１ａ  筐体
１ｂ  前面
３Ａ  紙幣挿入口
５  紙幣識別部
７  紙幣搬送機構
１０  紙幣押し込み領域
３０  紙幣押圧機構
３２  押圧プレート
４０  制御回路基板
６０  載置トレイ
６１ｃ  係止爪
７０  載置トレイ駆動機構
９０  シャッタ機構
９１  シャッタ
９２  シャッタ駆動機構
１１０  ロック機構
【図１】
2006346283.tif 000003
【図２】
2006346283.tif 000004
【図３】
2006346283.tif 000005
【図４】
2006346283.tif 000006
【図５】
2006346283.tif 000007
【図６】
2006346283.tif 000008
【図７】
2006346283.tif 000009
【図８】
2006346283.tif 000010
【図９】
2006346283.tif 000011
【図１０】
2006346283.tif 000012
【図１１】
2006346283.tif 000013
【図１２】
2006346283.tif 000014
【図１３】
2006346283.tif 000015
【図１４】
2006346283.tif 000016
【図１５】
2006346283.tif 000017